(57)【要約】【課題】受信側に入力されたディジタル音声信号の形態が、プリエンファシス処理が施されたものであるか否かを確実に判別しつつ、該入力された信号を、最終的に要求されるエンファシス状態に確実に合致させることが可能な、安価で特性の劣化が少ないディジタル音声処理装置を得る。【解決手段】ディジタル音声信号のプリエンファシス情報を検出し、検出情報に応じＯＮまたはＯＦＦ信号を判別信号として出力するプリエンファシス情報判別回路１と、ディエンファシスフィルタ２およびエンファシスフィルタ３と、最終的に所望されるディジタル音声信号のエンファシスＯＮ／ＯＦＦ状態を設定され、その設定状態に応じてＯＮまたはＯＦＦ状態信号を指示信号として出力するエンファシスＯＮ／ＯＦＦ設定スイッチ４と、上記指示信号および判別信号に基づき、フィルタ２、３からの出力信号およびスルーのディジタル音声信号のいずれかを出力するセレクタ５を備える。【選択図】　　　　　図１
2004072360.tif 000002
【特許請求の範囲】
【請求項１】
外部装置から入力されたディジタル音声信号のデコード処理を行なうデコーダ手段と、
該デコーダ手段から出力されたディジタル音声信号のプリエンファシス情報を検出し、該ディジタル音声信号のプリエンファシス情報がエンファシスＯＮ情報であるのかエンファシスＯＦＦ情報であるのかを判別し、該プリエンファシス情報がエンファシスＯＮ情報であると判別した場合にはＯＮ信号を、該プリエンファシス情報がエンファシスＯＦＦ情報であると判別した場合にはＯＦＦ信号を各々判別信号として出力するプリエンファシス情報判別手段と、
前記デコーダ手段からのディジタル音声信号を入力され、ディエンファシス処理を行なうディエンファシスフィルタ手段と、
前記デコーダ手段からのディジタル音声信号を入力され、エンファシス処理を行なうエンファシスフィルタ手段と、
最終的に得られるディジタル音声信号をエンファシスＯＮ状態とするのか、エンファシスＯＦＦ状態とするのかの設定がなされ、該ディジタル音声信号をエンファシスＯＮ状態とするように設定されている場合にはＯＮ状態信号を、該ディジタル音声信号をエンファシスＯＦＦ状態とするように設定されている場合にはＯＦＦ状態信号を各々指示信号として出力するエンファシスＯＮ／ＯＦＦ設定スイッチ手段と、
前記プリエンファシス情報判別手段からの判別信号と、前記ディエンファシスフィルタ手段からの出力信号と、前記エンファシスフィルタ手段からの出力信号と、前記エンファシスＯＮ／ＯＦＦ設定スイッチ手段からの指示信号と、前記デコーダ手段からのディジタル音声信号とを入力され、前記指示信号がＯＦＦ状態信号で前記判別信号がＯＮ信号である場合には前記ディエンファシスフィルタ手段からの出力信号を選択して出力し、前記指示信号がＯＦＦ状態信号で前記判別信号がＯＦＦ信号である場合、および前記指示信号がＯＮ状態信号で前記判別信号がＯＮ信号である場合には前記デコーダ手段からのディジタル音声信号を選択して出力し、前記指示信号がＯＮ状態信号で前記判別信号がＯＦＦ信号である場合には前記エンファシスフィルタ手段からの出力信号を選択して出力する信号選択手段と、
該信号選択手段から出力された信号に対してエンコード処理を行なって出力するエンコーダ手段と、
を備えたことを特徴とするディジタル音声処理装置。
【発明の詳細な説明】
【０００１】
【発明の属する技術分野】
本発明は、テレビジョン番組制作における音声処理に係るディジタル音声処理装置に関し、詳しくは、ディジタル音声のディエンファシス処理やエンファシス処理を自動的にコントロールする音声処理装置に関する。
【０００２】
【従来の技術】
テレビジョン番組を制作する際には、種々の装置間で信号伝送が行なわれるが、音声信号にあっては、信号の伝送により、周波数が高いもの程レベルが低下してしまうため、予め、送信側でディジタル音声信号の高域を強調しておくプリエンファシス処理を施した後に送信される場合がある。
【０００３】
このプリエンファシス処理がなされた信号は、この後、放送での最終的な音声とするに際し、上記プリエンファシス処理により強調された高域側を元に戻すような、エンファシスＯＦＦ状態とすることが通常要望されるため、信号の受信側ではディエンファシス処理を施すことが行なわれる。これは、上記プリエンファシス処理がなされた信号により、そのまま放送が行なわれた場合には、音声が高域側に浮いた違和感のあるものとなり、大きな放送トラブルとなる虞があるため、上記ディエンファシス処理を的確に行なうことは重要である。
【０００４】
これに対し、上記プリエンファシス処理がなされることなく、信号が伝送される場合もあり、この場合には、上記ディエンファシス処理を施すことなく、その伝送されたままの信号により放送がなされることになる。
【０００５】
受信側における、上記のようなディエンファシス処理を行なうか否かの判断は、従来、音声技術者が音声信号の状態を確認し、信号にプリエンファシス処理がなされているか否かを判断し、プリエンファシス処理がなされていると判断した場合には、手作業でディエンファシス処理を施し、そうでないと判断された場合には、音声信号をそのままスルーで出力するようにしていた。また、この場合、ディジタルミキサー等の機器を経由させて、アナログ出力を再収録していた。
【０００６】
一方、受信側の最終出力として要求される信号の状態としては、上述したようなエンファシスＯＦＦ状態とされる場合が多いが、ときにはエンファシスＯＮ状態の信号が要求される場合もある。
【０００７】
このように受信側の最終出力としてエンファシスＯＮ状態に設定することが要求される場合も、入力信号の形態としては、信号にプリエンファシス処理が施されたものと、施されていないものとの２種があるため、音声技術者が音声信号の状態を確認し、信号にプリエンファシス処理がなされているか否かを判断し、プリエンファシス処理がなされていると判断した場合には、音声信号をそのまま出力し、そうでないと判断された場合には、手作業でエンファシス処理を施すというような作業を強いられていた。具体的には、エンファシス機能を有するディジタルミキサーを使用したり、アナログ信号に一旦変換し、その際にエンファシス処理を行なった後、再度ディジタル信号に変換する等の作業が必要であった。
【０００８】
【発明が解決しようとする課題】
このように、受信側に入力される信号の形態としては、プリエンファシス処理が施されたものと、施されていないものとの２種があり、このいずれであるかを識別しつつ、最終的に要求されるエンファシス状態に合致させるような処理作業は、音声技術者の能力および手作業にまかされており、音声技術者の負担は多大なものとなり、またその判断ミスによる大きな放送トラブルが生じるおそれがあった。
【０００９】
また、上記ディエンファシス処理やエンファシス処理を行なうためのディジタルミキサーは高価な機器であり、さらに、ディジタル音声信号出力をアナログ収録する際にエンファシス処理を行なうというプロセスは、一旦アナログ信号に変換してエンファシス処理を行なってから再びディジタル信号変換することになるため、特性が劣化してしまう。
【００１０】
本発明は、上記事情に鑑みなされたもので、受信側に入力された信号の形態が、プリエンファシス処理が施されたものであるか否かを確実に識別しつつ、該入力された信号を、最終的に要求されるエンファシス状態に確実に合致させることが可能な、安価で特性の劣化が少ないディジタル音声処理装置を提供することを目的とするものである。
【００１１】
【課題を解決するための手段】
本発明のディジタル音声処理装置は上記目的を達成するための構成を有しており、外部装置から入力されたディジタル音声信号のプリエンファシス情報を検出し、その情報、および最終的に得られるディジタル音声信号をエンファシスＯＮ状態とするのか、エンファシスＯＦＦ状態とするのかの設定情報に基づき、エンファシスフィルタ手段およびディエンファシスフィルタ手段のＯＮ／ＯＦＦを自動的にコントロールすることで、所望のディジタル音声出力を得るものである。
【００１２】
すなわち、本発明のディジタル音声処理装置は、
外部装置から入力されたディジタル音声信号のデコード処理を行なうデコーダ手段と、
該デコーダ手段から出力されたディジタル音声信号のプリエンファシス情報を検出し、該ディジタル音声信号のプリエンファシス情報がエンファシスＯＮ情報であるのかエンファシスＯＦＦ情報であるのかを判別し、該プリエンファシス情報がエンファシスＯＮ情報であると判別した場合にはＯＮ信号を、該プリエンファシス情報がエンファシスＯＦＦ情報であると判別した場合にはＯＦＦ信号を各々判別信号として出力するプリエンファシス情報判別手段と、
前記デコーダ手段からのディジタル音声信号を入力され、ディエンファシス処理を行なうディエンファシスフィルタ手段と、
前記デコーダ手段からのディジタル音声信号を入力され、エンファシス処理を行なうエンファシスフィルタ手段と、
最終的に得られるディジタル音声信号をエンファシスＯＮ状態とするのか、エンファシスＯＦＦ状態とするのかの設定がなされ、該ディジタル音声信号をエンファシスＯＮ状態とするように設定されている場合にはＯＮ状態信号を、該ディジタル音声信号をエンファシスＯＦＦ状態とするように設定されている場合にはＯＦＦ状態信号を各々指示信号として出力するエンファシスＯＮ／ＯＦＦ設定スイッチ手段と、
前記プリエンファシス情報判別手段からの判別信号と、前記ディエンファシスフィルタ手段からの出力信号と、前記エンファシスフィルタ手段からの出力信号と、前記エンファシスＯＮ／ＯＦＦ設定スイッチ手段からの指示信号と、前記デコーダ手段からのディジタル音声信号とを入力され、前記指示信号がＯＦＦ状態信号で前記判別信号がＯＮ信号である場合には前記ディエンファシスフィルタ手段からの出力信号を選択して出力し、前記指示信号がＯＦＦ状態信号で前記判別信号がＯＦＦ信号である場合、および前記指示信号がＯＮ状態信号で前記判別信号がＯＮ信号である場合には前記デコーダ手段からのディジタル音声信号を選択して出力し、前記指示信号がＯＮ状態信号で前記判別信号がＯＦＦ信号である場合には前記エンファシスフィルタ手段からの出力信号を選択して出力する信号選択手段と、
該信号選択手段から出力された信号に対してエンコード処理を行なって出力するエンコーダ手段と、
を備えたことを特徴とするものである。
【００１３】
【発明の実施の形態】
以下、本発明の実施形態に係るディジタル音声処理装置について図面を用いて説明する。
図１は本実施形態装置の構成を示すブロック図である。
【００１４】
この装置は、ディジタル音声信号のプリエンファシス情報を検出し、該ディジタル音声信号のプリエンファシス情報がエンファシスＯＮ情報であるのかエンファシスＯＦＦ情報であるのかを判別し、該プリエンファシス情報がエンファシスＯＮ情報であると判別した場合にはＯＮ信号を、該プリエンファシス情報がエンファシスＯＦＦ情報であると判別した場合にはＯＦＦ信号を各々判別信号として出力するプリエンファシス情報判別回路１と、ディジタル音声信号を入力され、ディエンファシス処理を行なうディエンファシスフィルタ２およびエンファシス処理を行なうエンファシスフィルタ３とを備えている。
【００１５】
また、最終的に得られるディジタル音声信号をエンファシスＯＮ状態とするのか、エンファシスＯＦＦ状態とするのかの設定がなされ、ディジタル音声信号をエンファシスＯＮ状態とするように設定されている場合にはＯＮ状態信号を、ディジタル音声信号をエンファシスＯＦＦ状態とするように設定されている場合にはＯＦＦ状態信号を各々指示信号として出力するエンファシスＯＮ／ＯＦＦ設定スイッチ４を備えている。
【００１６】
また、プリエンファシス情報判別回路１からの判別信号と、ディエンファシスフィルタ２からの出力信号と、エンファシスフィルタ３からの出力信号と、エンファシスＯＮ／ＯＦＦ設定スイッチ４からの指示信号と、スルーのディジタル音声信号とを入力され、上記指示信号および上記判別信号の状態に基づき、所定の入力信号が出力されるように機能するセレクタ５を備えている。
さらに、ディジタル音声信号入力部の後段にはデコーダ６が配されており、ディジタル音声信号出力部の前段にはエンコーダ７が配されている。
【００１７】
なお、後述するように、本実施形態装置においては、入力されるディジタル信号がＡＥＳ／ＥＢＵフォーマットを用いて構成されており、プリエンファシス情報を含む所定領域にバイフェーズモデュレーションが施されているため、上記デコーダ６においては、このＡＥＳ／ＥＢＵの音声信号の所定領域に対してバイフェーズデモデュレーションを施すデコード処理を行なうことで、プリエンファシス情報判別回路１でのプリエンファシス情報検出を可能としている。
【００１８】
また、本実施形態装置からの出力は、この装置に入力された際の上記ＡＥＳ／ＥＢＵの音声信号の形態とする必要があることから、上記エンコーダ７において、セレクタ５からの出力信号をこの装置に入力された際の上記ＡＥＳ／ＥＢＵの音声信号に戻すエンコード処理を行なうようになっている。
【００１９】
以下、本実施形態装置の動作について説明する。
上述したように、ディジタル音声入力部から入力されたディジタル音声信号はデコーダ６によりデコードされ、このデコーダ６から出力されたディジタル音声信号のプリエンファシス情報（後述する）がプリエンファシス情報判別回路１において検出され、エンファシス情報がＯＮなのかＯＦＦなのかを判別する。その判別結果に応じて、エンファシス情報がＯＮであればＯＮ信号を、エンファシス情報がＯＦＦであればＯＦＦ信号を判別信号としてセレクタ５に対して出力する。
【００２０】
一方、エンファシスＯＮ／ＯＦＦ設定スイッチ４はユーザーにより設定されるもので、最終的に得たい信号形態がエンファシス処理が施された状態であればエンファシスＯＮ状態に、最終的に得たい信号形態がエンファシス処理が施されていない状態であればエンファシスＯＦＦ状態に設定され、エンファシスＯＮ状態に設定されていればＯＮ状態信号を、エンファシスＯＦＦ状態に設定されていればＯＦＦ状態信号を指示信号としてセレクタ５に対して出力する。
【００２１】
そして、セレクタ５は、上記指示信号がＯＦＦ状態信号で上記判別信号がＯＮ信号である場合にはディエンファシスフィルタ２からの出力信号を選択して出力し、上記指示信号がＯＦＦ状態信号で上記判別信号がＯＦＦ信号である場合、および上記指示信号がＯＮ状態信号で上記判別信号がＯＮ信号である場合にはスルーのディジタル音声信号を選択して出力し、上記指示信号がＯＮ状態信号で上記判別信号がＯＦＦ信号である場合にはエンファシスフィルタ３からの出力信号を選択して出力する。
【００２２】
セレクタ５から出力された信号は、エンコーダ７においてエンコードされ、ディジタル音声信号入力部における入力信号と同じ形態のＡＥＳ／ＥＢＵフォーマットのディジタル音声信号に変換され、ディジタル音声信号出力部から出力される。
【００２３】
このように、本実施形態装置においては、入力されたディジタル音声信号のプリエンファシス情報を検出し、その情報、およびユーザーが望む信号最終形態を示すエンファシスＯＮ／ＯＦＦ設定情報に基づき、エンファシスフィルタ２およびディエンファシスフィルタ３からの信号通過切替を自動的にコントロールしているので、所望のディジタル音声出力を安定して確実に得ることができる。
【００２４】
図２（Ａ）は、プリエンファシス処理が施されたディジタル音声信号のエンファシス特性を示すものである。図２（Ａ）に示されるように、このプリエンファシス処理によりディジタル音声信号の高域が強調されることになる。
【００２５】
また、図２（Ｂ）は、上述したディエンファシスフィルタ２のディエンファシス特性を示すものである。図２（Ｂ）に示されるように、このディエンファシスフィルタ２を通過したディジタル音声信号は、その高域が低減されることになる。
【００２６】
また、上述したエンファシスフィルタ３のエンファシス特性は、丁度図２（Ａ）に示される特性を有するように設定されており、このエンファシスフィルタ３を通過したディジタル音声信号は、その高域が強調されることになる。
【００２７】
したがって、上記指示信号がＯＦＦ状態信号で上記判別信号がＯＮ信号である場合にはディエンファシスフィルタ２からの出力信号が選択されるので、図２（Ａ）に示されるようなプリエンファシス処理がなされたディジタル音声信号に対して、図２（Ｂ）に示されるような特性を有するディエンファシスフィルタ２によるディエンファシス処理がなされ、プリエンファシス処理がなされる前の状態に戻されたディジタル音声信号がセレクタ５から出力されることになる。
【００２８】
また、上記指示信号がＯＮ状態信号で上記判別信号がＯＦＦ信号である場合にはエンファシスフィルタ２からの出力信号が選択されるので、プリエンファシス処理がなされていないディジタル音声信号に対して、図２（Ａ）に示されるような特性を有するエンファシスフィルタ３によるエンファシス処理がなされ、このように高域が強調されたディジタル音声信号がセレクタ５から出力されることになる。
【００２９】
なお、上記指示信号がＯＦＦ状態信号で上記判別信号がＯＦＦ信号である場合、および上記指示信号がＯＮ状態信号で上記判別信号がＯＮ信号である場合にはスルーのディジタル音声信号が選択されるので、デコーダ６の出力信号がそのままセレクタ５から出力されることになる。
【００３０】
また、当然のこと乍ら、上記指示信号等に基づき、ディエンファシス処理またはエンファシス処理がなされたときは、エンコーダ７においてプリエンファシス情報のビットの再設定がなされる。
【００３１】
図３は、プリエンファシス情報判別回路１において検出される、ディジタル音声信号のプリエンファシス情報が格納されるチャンネルステータス・データフォーマット（図３（Ｂ））、およびこのチャンネルステータス・データから構成されるサブフレーム・フォーマット（図３（Ａ））を示すものである。
【００３２】
本実施形態装置においては、ディジタル音声信号が、前述したＡＥＳ／ＥＢＵフォーマットを用いた形態で入力され、このフォーマット中に格納されたプリエンファシス情報が、デコーダ６におけるデコード処理により、上記プリエンファシス情報判別回路１において検出可能とされる。
【００３３】
すなわち、このＡＥＳ／ＥＢＵフォーマットはフレームで構成され、さらにフレームはサブフレームで構成される。サブフレーム・フォーマットは図３（Ａ）に示すように、３２のタイムスロットに分かれており、それぞれ０から３１の番号が付されている。０〜３番のスロットにはプリアンブル、４〜７番のスロットには補助サンプルビット、８〜２７番のスロットにはオーディオサンプル・ワード（オーディオデータ）が割り当てられる。また、２８番のスロットにはバリディティ・ビット（Ｖ）が、２９番のスロットにはユーザーデータ・ビット（Ｕ）が、３０番のスロットにはチャンネルステータス・ビット（Ｃ）１０が、３１番のスロットにはパリティ・ビット（Ｐ）が各々割り当てられる。
【００３４】
上記３０番のスロットに割り当てられたチャンネルステータス・ビット（Ｃ）１０は、それぞれのオーディオ信号に対応した情報を伝送するもので、その情報とは、例えば、オーディオチャンネルのワード長、オーディオチャンネルの数、サンプリング周波数、さらに本実施形態のポイントであるオーディオ信号のエンファシス情報等であり、全体で１９２ビットのブロック構成とされている。
【００３５】
オーディオ信号のエンファシス情報は、図３（Ｂ）に示すように、このチャンネルステータス・データフォーマットの０バイト目の２〜４ビット目（ｃ）１２に割り当てられており、この２〜４ビット目が、０００であれば非エンファシス、受側初期設定、マニュアル選択であることを表し、１００であれば非エンファシス、マニュアル選択不可であることを表し、１１０であれば５０／１５μ秒、エンファシス重ねがけ不可であることを表す。
【００３６】
プリエンファシス情報判別回路１では、チャンネルステータス・データフォーマットの０バイト目の２〜４ビット目（ｃ）１２に割り当てられたエンファシス情報を検出し、それが０００または１００であればエンファシスＯＦＦ情報であると判別し、一方、それが１１０であれば、エンファシスＯＮ情報であると判別する。
【００３７】
このように、送信側においてディジタル音声信号にプリエンファシス処理が施されたか否かが、このエンファシス情報を検出すれば確実に判別できるので、入力されたディジタル音声信号を、最終的に要求されるエンファシス状態に容易かつ確実に合致させることが可能である。
【００３８】
なお、実際には、上記４〜３１番のスロットのデータに対して、デコーダ６における上述したバイフェーズデモデュレーションの処理が施され、その状態のプリエンファシス情報に対してプリエンファシス情報判別回路１における情報判別が行われる。
【００３９】
なお、本発明のディジタル音声処理装置としては上記実施形態のものに限られるものではなく、その他の種々の態様の変更が可能である。例えば、上記実施形態においてはディジタル音声信号を伝送するために、２０のオーディオデータスロットを有するＡＥＳ／ＥＢＵフォーマットが用いられているが、ディジタル音声信号のエンファシス情報を伝送し得る、種々の周知のフォーマットを用いることが可能であり、例えば２４のオーディオデータスロットを有するＡＥＳ／ＥＢＵフォーマットを用いることもできる。
【００４０】
【発明の効果】
本発明のディジタル音声処理装置によれば、入力されたディジタル音声信号のプリエンファシス情報を検出し、その情報、および最終的に得られるディジタル音声信号をエンファシスＯＮ状態とするのか、エンファシスＯＦＦ状態とするのかの設定情報に基づき、エンファシスフィルタ手段およびディエンファシスフィルタ手段からの信号の通過切替を自動的にコントロールするようにしているので、所望のディジタル音声出力を特性の劣化がない状態で、容易かつ確実に得ることができる。
【００４１】
また、装置をエンファシスの信号処理に特化しているため、小型で安価に正確な処理が実現できる。
さらに、エンファシス情報の人為的なチェックミスによる放送トラブルをなくすことが可能になる。
【図面の簡単な説明】
【図１】本発明の実施形態に係るディジタル音声処理装置を示すブロック図
【図２】プリエンファシス処理が施されたディジタル音声信号のエンファシス特性（Ａ）、およびディエンファシスフィルタのフィルタ特性（Ｂ）を示すグラフ
【図３】ディジタル音声信号のプリエンファシス情報が格納される、サブフレーム・フォーマット（Ａ）、およびチャンネルステータス・データフォーマット（Ｂ）を示す概念図
【符号の説明】
１　　プリエンファシス情報判別回路
２　　ディエンファシスフィルタ
３　　エンファシスフィルタ
４　　エンファシスＯＮ／ＯＦＦ設定スイッチ
５　　セレクタ
６　　デコーダ
７　　エンコーダ
【図１】
2004072360.tif 000003
【図２】
2004072360.tif 000004
【図３】
2004072360.tif 000005